【手続補正書】
【提出日】平成16年6月1日(2004.6.1)
【手続補正１】
【補正対象書類名】明細書
【補正対象項目名】発明の名称
【補正方法】変更
【補正の内容】
【発明の名称】画像形成装置および高圧電源装置
【手続補正２】
【補正対象書類名】明細書
【補正対象項目名】特許請求の範囲
【補正方法】変更
【補正の内容】
【特許請求の範囲】
【請求項１】
像担持体上の現像画像を媒体上に転写する転写手段と、
前記像担持体上の現像画像を媒体上に転写するとき高電圧を前記転写手段に印加する第１高圧電源と、
前記像担持体上の現像画像を媒体上に転写しないとき前記第１高圧電源と逆極性の高電圧を前記転写手段に印加する第２高圧電源と、
前記第２高圧電源により生じる電流が前記像担持体から前記転写手段へ流れることを阻止する整流手段と、
を有することを特徴とする画像形成装置。
【請求項２】
像担持体上の現像画像を媒体上に転写する転写手段と、
前記転写手段に高電圧を印加する高圧電源と、
前記高圧電源に直列接続され、前記高圧電源が前記転写手段に高圧を印加していないとき前記像担持体、前記転写手段及び前記高圧電源を流れる電流を阻止する整流手段と、
を有することを特徴とする画像形成装置。
【請求項３】
前記整流手段は、バリスタ及びツェナダイオードのいずれかであることを特徴とする画像形成装置。
【請求項４】
像担持体上の現像画像を媒体上に転写する転写手段と、
前記転写手段に高電圧を印加する高圧電源と、
前記高圧電源に直列接続され、前記高圧電源が前記転写手段に高圧を印加していないとき前記像担持体、前記転写手段及び前記高圧電源を流れる電流を阻止するトランジスタと、
を有することを特徴とする画像形成装置。
【請求項５】
帯電、露光、現像、転写等を含む電子写真プロセスに用いられる高圧電源装置であって、接続される負荷に対して電力を供給する高圧電源部と、前記負荷の状態によって前記電力供給方向に生じる当該高圧電源装置からの電流の流出を阻止する電流流出阻止手段とを備えたことを特徴とする高圧電源装置。
【請求項６】
帯電、露光、現像、転写等を含む電子写真プロセスに用いられる高圧電源装置であって、接続される負荷に対して電力供給を行う第一の高圧電源部と、該第一の高圧電源部とは極性が異なり、該第一の高圧電源部と直列に接続された第二の高圧電源部と、当該高圧電源装置の出力から前記第二の高圧電源部による電流が流れる事を阻止する電流阻止手段とを備えたことを特徴とする高圧電源装置。
【請求項７】
請求項６に記載の高圧電源装置において、前記電流阻止手段は整流素子であることを特徴とする高圧電源装置。
【請求項８】
請求項６に記載の高圧電源装置において、少なくとも電子写真プロセス実行時における前記負荷の作動時には、前記第二の高圧電源部が停止されることを特徴とする高圧電源装置。
【請求項９】
請求項６記載の高圧電源装置において、前記第二の高圧電源部は、電子写真プロセス実行時における前記負荷の作動時以外での不要な電流の流出を阻止するよう動作することを特徴とする高圧電源装置。
【請求項１０】
帯電、露光、現像、転写等を含む電子写真プロセスに用いられる高圧電源装置であって、接続される負荷に対して電力供給を行う第一の高圧電源部と、該第一の高圧電源部に直列に接続された定電圧手段とを備えたことを特徴とする高圧電源装置。
【請求項１１】
請求項１０に記載の高圧電源装置において、前記定電圧手段はバリスタ、又は、定電圧ダイオードであることを特徴とする高圧電源装置。
【請求項１２】
帯電、露光、現像、転写等を含む電子写真プロセスに用いられる高圧電源装置であって、接続される負荷に対して電力供給を行う第一の高圧電源部と、該第一の高圧電源部に直列に接続されたスイッチ手段と、該スイッチ手段を電子写真プロセス実行時における前記負荷が作動する所定のタイミングでオンするよう制御する制御手段とを備えたことを特徴とする高圧電源装置。
【請求項１３】
請求項１２に記載の高圧電源装置において、前記スイッチ手段として半導体素子を用いると共に、該半導体素子と並列に逆電流バイパス用のダイオードを接続したことを特徴とする高圧電源装置。
【請求項１４】
請求項５ないし請求項１３のいずれかに記載の高圧電源装置において、前記接続される負荷が、電子写真プロセスにおけるトナー画像を転写する為の転写負荷であることを特徴とする高圧電源装置。
【手続補正３】
【補正対象書類名】明細書
【補正対象項目名】００１１
【補正方法】変更
【補正の内容】
【００１１】
【課題を解決するための手段】
前記目的を達成するため、本発明では、画像形成装置を次の（１）ないし（４）のとおりに構成し、高圧電源装置を次の（５）ないし（１４）のとおりに構成する。
【手続補正４】
【補正対象書類名】明細書
【補正対象項目名】００１２
【補正方法】変更
【補正の内容】
【００１２】
（１）像担持体上の現像画像を媒体上に転写する転写手段と、
前記像担持体上の現像画像を媒体上に転写するとき高電圧を前記転写手段に印加する第１高圧電源と、
前記像担持体上の現像画像を媒体上に転写しないとき前記第１高圧電源と逆極性の高電圧を前記転写手段に印加する第２高圧電源と、
前記第２高圧電源により生じる電流が前記像担持体から前記転写手段へ流れることを阻止する整流手段と、
を有する画像形成装置。
（２）像担持体上の現像画像を媒体上に転写する転写手段と、
前記転写手段に高電圧を印加する高圧電源と、
前記高圧電源に直列接続され、前記高圧電源が前記転写手段に高圧を印加していないとき前記像担持体、前記転写手段及び前記高圧電源を流れる電流を阻止する整流手段と、
を有する画像形成装置。
（３）前記整流手段は、バリスタ及びツェナダイオードのいずれかである画像形成装置。
（４）像担持体上の現像画像を媒体上に転写する転写手段と、
前記転写手段に高電圧を印加する高圧電源と、
前記高圧電源に直列接続され、前記高圧電源が前記転写手段に高圧を印加していないとき前記像担持体、前記転写手段及び前記高圧電源を流れる電流を阻止するトランジスタと、
を有する画像形成装置。
（５）帯電、露光、現像、転写等を含む電子写真プロセスに用いられる高圧電源装置であって、接続される負荷に対して電力を供給する高圧電源部と、前記負荷の状態によって前記電力供給方向に生じる当該高圧電源装置からの電流の流出を阻止する電流流出阻止手段とを備えた高圧電源装置。
（６）帯電、露光、現像、転写等を含む電子写真プロセスに用いられる高圧電源装置であって、接続される負荷に対して電力供給を行う第一の高圧電源部と、該第一の高圧電源部とは極性が異なり、該第一の高圧電源部と直列に接続された第二の高圧電源部と、当該高圧電源装置の出力から前記第二の高圧電源部による電流が流れる事を阻止する電流阻止手段とを備えた高圧電源装置。
（７）前記（６）に記載の高圧電源装置において、前記電流阻止手段は整流素子である高圧電源装置。
（８）前記（６）に記載の高圧電源装置において、少なくとも電子写真プロセス実行時における前記負荷の作動時には、前記第二の高圧電源部が停止される高圧電源装置。
（９）前記（６）に記載の高圧電源装置において、前記第二の高圧電源部は、電子写真プロセス実行時における前記負荷の作動時以外での不要な電流の流出を阻止するよう動作する高圧電源装置。
（１０）帯電、露光、現像、転写等を含む電子写真プロセスに用いられる高圧電源装置であって、接続される負荷に対して電力供給を行う第一の高圧電源部と、該第一の高圧電源部に直列に接続された定電圧手段とを備えた高圧電源装置。
（１１）前記（１０）に記載の高圧電源装置において、前記定電圧手段はバリスタ、又は、定電圧ダイオードである高圧電源装置。
（１２）帯電、露光、現像、転写等を含む電子写真プロセスに用いられる高圧電源装置であって、接続される負荷に対して電力供給を行う第一の高圧電源部と、該第一の高圧電源部に直列に接続されたスイッチ手段と、該スイッチ手段を電子写真プロセス実行時における前記負荷が作動する所定のタイミングでオンするよう制御する制御手段とを備えた高圧電源装置。
（１３）前記（１２）に記載の高圧電源装置において、前記スイッチ手段として半導体素子を用いると共に、該半導体素子と並列に逆電流バイパス用のダイオードを接続した高圧電源装置。
（１４）前記（５）ないし（１３）のいずれかに記載の高圧電源装置において、前記接続される負荷が、電子写真プロセスにおけるトナー画像を転写する為の転写負荷である高圧電源装置。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】